(57)【要約】【課題】充填冷媒の計量無しで、冷媒充填を実施すること、また冷房運転のみで、冷媒充填判定を完結すること。【解決手段】冷凍サイクルと、室外熱交換器３内の冷媒の凝縮温度を検出する室外機凝縮温度サーミスタ６ｂと、室外熱交換器３出口の冷媒の温度を検出する室外熱交換器出口温度サーミスタ６ｃと、圧縮機１の吐出冷媒温度を検出する吐出温度サーミスタ６ａと、外気温度を検出する外気温度サーミスタ６ｄと、室内熱交換器５の蒸発温度を検出する室内機蒸発温度サーミスタ６ｅと、各温度検出部によって検出された各検出値に基づいて、冷凍サイクルを制御する入力・演算・判定部７と、入力・演算・判定部７の出力を表示する表示部８とを備え、入力・演算・判定部７は、室外熱交換器３内の冷媒の液相部の量に係る測定値と理論値とを演算・比較し、冷媒を充填する際自動的に適正量を判断し表示部８に冷媒の充填状態の表示を行うことを特徴とする。【選択図】図１
2008232579.tif 000002
【特許請求の範囲】
【請求項１】
圧縮機と、室外熱交換器と、膨張弁と、室内熱交換器とを配管で接続し、冷房運転時に前記室外熱交換器内に高温高圧の冷媒を流通させ、前記室内熱交換器内に低温低圧の冷媒を流通させる冷凍サイクルと、
前記室外熱交換器内の冷媒の凝縮温度を検出する室外機凝縮温度検出部と、
前記室外熱交換器出口の冷媒の温度を検出する室外熱交換器出口温度検出部と、
前記圧縮機の吐出側の冷媒の温度を検出する吐出温度検出部と、
前記室外熱交換器の外部を流通する流体のいずれかの位置の温度を検出する流体温度検出部と、
前記室内熱交換器の蒸発温度を検出する蒸発冷媒温度検出部と、
前記各温度検出部によって検出された各検出値に基づいて、前記冷凍サイクルを制御する制御部と、
前記制御部の出力を表示する表示部とを備え、前記制御部は、前記室外熱交換器内の冷媒の液相部の量に係る測定値と理論値とを演算・比較し、冷媒を充填する際自動的に適正量を判断し前記表示部に冷媒の充填状態の表示を行うことを特徴とする冷媒充填方法。
【請求項２】
圧縮機と、室外熱交換器と、膨張弁と、室内熱交換器と、アキュムレータとを配管で接続し、冷房運転時に前記室外熱交換器内に高温高圧の冷媒を流通させ、前記室内熱交換器内に低温低圧の冷媒を流通させ、延長配管を備える冷凍サイクルと、
前記室外熱交換器内の冷媒の凝縮温度を検出する室外機凝縮温度検出部と、
前記室外熱交換器出口の冷媒の温度を検出する室外熱交換器出口温度検出部と、
前記圧縮機の吐出側の冷媒の温度を検出する吐出温度検出部と、
前記室外熱交換器の外部を流通する流体のいずれかの位置の温度を検出する流体温度検出部と、
前記室内熱交換器の蒸発温度を検出する蒸発冷媒温度検出部と、
前記室内熱交換器の中間以降の冷媒の温度を検出する室内熱交換器出口温度検出部と、
前記各温度検出部によって検出された各検出値に基づいて、前記冷凍サイクルを制御する制御部とを備え、前記制御部は、以下の制御を行うことを特徴とする冷媒充填方法。
（１）前記冷凍サイクルの冷房運転を行う；
（２）前記室外熱交換器出口の過冷却度がある程度つく冷媒量まで封入し、初期封入冷媒量をインプットする；
（３）前記冷凍サイクル運転状態から、前記室外熱交換器及び前記アキュムレータの冷媒存在量を推測する；
（４）前記初期封入冷媒量から前記室外熱交換器及び前記アキュムレータの冷媒存在量を差し引いて、前記延長配管と前記室内熱交換器とに存在している冷媒量を求める；
（５）前記延長配管と前記室内熱交換器とに存在している冷媒量と、サイクル状態から演算した低圧二相密度より延長配管部分の容積を推定する。
【請求項３】
前記制御部の出力を表示する表示部を備えたことを特徴とする請求項２記載の冷媒充填方法。
【請求項４】
前記制御部は、充填する冷媒量が適正量と判断した場合、前記圧縮機の運転を停止することを特徴とする請求項１記載の冷媒充填方法。
【発明の詳細な説明】
【技術分野】
【０００１】
この発明は、ヒートポンプ式冷凍空調機等の冷媒充填方法に関するもので、特に、配管長によって適正な冷媒充填量が変わるセパレート形のヒートポンプ式冷凍空調機の冷媒充填方法に関する。
【背景技術】
【０００２】
ヒートポンプ式冷凍空調機は冷媒を用いて冷凍・空調動作をしている。通常、配管長が許容範囲内では冷媒の追加を必要としないが、配管長が許容範囲を超過するような場合や、部品交換等の重作業を行った場合には、冷媒を追加・再充填する必要が生じ、適正な冷媒充填をすることが必要となる。
【０００３】
しかし、適正な冷媒充填を行うには、冷媒量を正確に計量することが必要であり、そのための計量秤が必要であった。また、必要な冷媒量を算出するためには、配管の径および長さを把握して計算する必要がある。しかし、既設の空調機の配管を流用して使用する場合には、配管の径および長さが分からないという課題があった。
【０００４】
また、冷房運転のみで、適正な冷媒充填量を決定すると、冷媒接続配管が長い場合に、暖房時の必要冷媒量が不足してくることが考えられる。これは、膨張弁が室外のみにある場合、冷房時は液側冷媒接続配管が二相、暖房時は液側冷媒接続配管が液相であることから、暖房時の方が冷媒接続配管の長さの影響を多く受け、必要となる冷媒量が増加することによる。
【０００５】
暖房時の必要冷媒量は、冷凍サイクルを逆転し暖房運転でも同様に冷媒充填判定を行うことで把握できる。しかし、暖房では、特に外気が低温の際、室外側の熱交換器に着霜する恐れがあり、冷房運転の方が、安定した状態で冷媒充填量を決定することができる。
【０００６】
熱源側熱交換器、利用側熱交換器、圧縮機および減圧装置により冷凍サイクルを形成してなる空気調和機において、運転時に凝縮器となる熱交換器の冷媒の出口側および出入口の中間部に設けた冷媒の温度検出装置と、温度検出装置により検出した両温度の差を演算し、かつ予め設定した基準値と比較する機能を有する演算装置と、演算装置による演算結果により冷媒封入量の適否を表現する表示装置とを設け、表示装置が、冷媒量の不足、適正および過剰を発光ダイオード（ＬＥＤ）の点滅、点灯により表示するものである冷媒量検知装置を備えた空気調和機が提案されている（例えば、特許文献１参照）。
【０００７】
また、冷凍サイクルの現場据え付け時に追加充填する冷媒量を適切且つ自動的に調整し得る冷凍サイクルに対する冷媒充填方法を提供するために、室外側のユニット及び室内側のユニットを連結管で連結した後の試運転の際、冷媒循環路に冷媒を補充しつつ冷媒循環路の各点での冷媒圧力、冷媒温度を規定する所定の運転パラメータをモニタして冷媒の過熱度及び／又は過冷却度が所定の設定値に達したことで適量の冷媒が充填されたとして冷媒の補充を自動的に停止するようにした冷凍サイクルに対する冷媒充填方法が提案されている（例えば、特許文献２参照）。
【特許文献１】特開昭６２−１５８９６６号公報
【特許文献２】特開２００５−２４１１７２号公報
【発明の開示】
【発明が解決しようとする課題】
【０００８】
しかしながら、上記特許文献１及び特許文献２に記載されている冷凍サイクルの過熱度や過冷却度を検知して冷媒量を推定する方法は、冷媒量の推定値が、外気温度や外風、熱交換器の目詰まりといった外乱要素により変動する値である。またアキュムレータやレシーバなどの液貯め容器がある場合、液貯め容器に貯留する冷媒量が検知出来ないため、冷媒量の正確な把握は困難であるという課題がある。
【０００９】
この発明は上記のような課題を解決するためになされたもので、以下に示す事項を目的とする。
（１）充填冷媒の計量無しで、冷媒充填を実施すること。
（２）冷媒の過不足による故障を防ぐことを可能とするため、配管の径や長さが不明な場合にも適正な冷媒充填をすること。
（３）配管の径や長さが分からない場合も、適正な冷媒充填をすること。
（４）冷房運転のみで、冷媒充填判定を完結すること。
【課題を解決するための手段】
【００１０】
この発明に係る冷媒充填方法は、圧縮機と、室外熱交換器と、膨張弁と、室内熱交換器とを配管で接続し、冷房運転時に室外熱交換器内に高温高圧の冷媒を流通させ、室内熱交換器内に低温低圧の冷媒を流通させる冷凍サイクルと、室外熱交換器内の冷媒の凝縮温度を検出する室外機凝縮温度検出部と、室外熱交換器出口の冷媒の温度を検出する室外熱交換器出口温度検出部と、圧縮機の吐出側の冷媒の温度を検出する吐出温度検出部と、室外熱交換器の外部を流通する流体のいずれかの位置の温度を検出する流体温度検出部と、室内熱交換器の蒸発温度を検出する蒸発冷媒温度検出部と、各温度検出部によって検出された各検出値に基づいて、冷凍サイクルを制御する制御部と、制御部の出力を表示する表示部とを備え、制御部は、室外熱交換器内の冷媒の液相部の量に係る測定値と理論値とを演算・比較し、冷媒を充填する際自動的に適正量を判断し表示部に冷媒の充填状態の表示を行うことを特徴とする。
【発明の効果】
【００１１】
この発明に係る冷媒充填方法は、表示部の変化に応じて冷媒充填量を調整することで、適正な冷媒充填を計量無しで完了することができ、冷媒の過充填による圧縮機の冷凍機油の希釈や、冷媒不足による圧縮機からのスラッジ生成を回避できる。
【発明を実施するための最良の形態】
【００１２】
実施の形態１．
図１乃至図３は実施の形態１を示す図で、図１は空気調和機の室外ユニット１０と室内ユニット２０の構成を示す図、図２は冷媒充填判定の流れを示す図、図３は冷媒充填過程の質量保存則ＡＬ％＊とエネルギー保存則ＡＬ％の関係図である。
【００１３】
図１に示すように、空気調和機は、室外ユニット１０と、室内ユニット２０とを備える。室外ユニット１０は、冷媒を圧縮する圧縮機１と、冷房／暖房切り替え用の四方弁２と、冷房運転時には凝縮器として、暖房運転時には蒸発器として機能する室外熱交換器３と、凝縮器で凝縮された高温、高圧の液体冷媒を膨張させて低温、低圧の冷媒とする膨張弁４と、圧縮機１の低圧側に接続するアキュムレータ１２とを備え、これらで冷媒回路の一部を構成する。
【００１４】
室外ユニット１０は、圧縮機１の吐出温度を検出する吐出温度サーミスタ６ａ（吐出温度検出部の一例）と、室外熱交換器３の冷房運転時における凝縮温度を検出する室外機凝縮温度サーミスタ６ｂ（室外機凝縮温度検出部の一例）と、室外熱交換器３の冷媒出口温度を検出するための室外熱交換器出口温度サーミスタ６ｃ（室外熱交換器出口温度検出部の一例）と、室外ユニット１０の設置される室外の外気温度を検出する外気温度サーミスタ６ｄ（流体温度検出部の一例）とを備える。
【００１５】
また、室外ユニット１０は、吐出温度サーミスタ６ａ、室外機凝縮温度サーミスタ６ｂ、室外熱交換器出口温度サーミスタ６ｃ、外気温度サーミスタ６ｄの検出値をとりまとめて判定する入力・演算・判定部７（冷凍サイクルを制御する制御部の一例）と、冷媒充填の状態を表示するＬＥＤ（発光ダイオード）を有する表示部８とを備える。
【００１６】
室内ユニット２０は、冷房運転時には蒸発器として、暖房運転時には凝縮器として機能する室内熱交換器５を冷媒回路の部品として備える。
【００１７】
空気調和機の冷媒回路は、圧縮機１、四方弁２、室外熱交換器３、膨張弁４、室内熱交換器５、アキュムレータ１２を備える。冷房運転時には、図１の実線矢印で示すような冷媒の流れとなる。即ち、圧縮機１→四方弁２→室外熱交換器３→膨張弁４→室内熱交換器５→四方弁２→アキュムレータ１２→圧縮機１の順に冷媒が流れる。
【００１８】
暖房運転時には、図示はしないが、圧縮機１→四方弁２→室内熱交換器５→膨張弁４→室外熱交換器３→四方弁２→アキュムレータ１２→圧縮機１の順に冷媒が流れる。
【００１９】
室内ユニット２０は、室内熱交換器５の冷房運転時における蒸発温度を検出する室内機蒸発温度サーミスタ６ｅ（蒸発冷媒温度検出部の一例）と、室内熱交換器５の中間以降の温度を検知する室内機出口温度サーミスタ６ｆ（室内熱交換器出口温度検出部の一例）とを備える。
【００２０】
また、室内ユニット２０は、室内機蒸発温度サーミスタ６ｅ、室内機出口温度サーミスタ６ｆの検出値を取り込み室外ユニット入力・演算・判定部７に通知する入出力部９を備える。
【００２１】
室外ユニット１０と、室内ユニット２０とは、延長配管１３ａ（暖房運転時に液冷媒が流れる）及び延長配管１３ｂ（暖房運転時に高圧の冷媒ガスが流れる）で接続される。
【００２２】
室外ユニット１０の冷媒回路に、冷媒充填用のサービスポート１１を備える。冷房運転時に低圧となる膨張弁４の下流側に配置されている。
【００２３】
延長配管１３ａ、延長配管１３ｂの長さが許容範囲を超える場合、また部品交換等の重作業を行って冷媒回路の冷媒量が不足した場合等は、冷媒を充填する必要がある。以下、冷媒充填方法を説明する。
【００２４】
先ず、図１の構成の空気調和機を冷房運転する。冷房運転をしながら、室外ユニット１０の冷媒回路に設けられたサービスポート１１から冷媒を少しずつ追加していく。このとき、空気調和機の運転状態を、吐出温度サーミスタ６ａ、室外機凝縮温度サーミスタ６ｂ、室外熱交換器出口温度サーミスタ６ｃ、外気温度サーミスタ６ｄ、室内機蒸発温度サーミスタ６ｅにより検出する。各サーミスタの検出値を入力・演算・判定部７に入力し、入力・演算・判定部７にて室外熱交換器３内の冷媒貯留率を算出する。
【００２５】
入力・演算・判定部７における室外熱交換器３内の冷媒貯留率の算出方法について説明する。室外熱交換器３内の冷媒量を把握するために、冷媒量判定指標として凝縮器（冷房運転時の室外熱交換器３）の液相面積比率ＡＬ％（室外熱交換器内の冷媒の液相部の量に係る測定値の一例）を用いる。
（１）ＡＬ％（エネルギー保存則）
冷媒量の変化は凝縮器の液相部の変化と相関が高く、液相部を無次元化した値として評価するため液相部の温度効率ＳＣ／ｄＴｃ（ＳＣ＝凝縮器の過冷却度、ｄＴｃ＝凝縮温度−凝縮器吸込空気温度（外気温度））を定義する。ＳＣ／ｄＴｃの値と冷凍サイクルの状態量の関係は（１）式で表せる。
ＳＣ／ｄＴｃ＝１−ｅｘｐ（−ＮＴＵＲ）                              （１）
ＮＴＵＲ＝（ΔｈＣＯＮ・ＡＬ％）／（ｄＴｃ・Ｃｐｒ）                  （２）
ここで、
ＮＴＵＲ：冷媒側移動単位数
ΔｈＣＯＮ：凝縮器入口出口エンタルピー差［ｋＪ／ｋｇ］
ＡＬ％：凝縮器液相面積比率［％］
Ｃｐｒ：定圧液比熱［ｋＪ／ｋｇ・Ｋ］
（２）式で、凝縮器中の液相が占める面積の割合である液相面積比率ＡＬ％以外は、冷凍サイクルの状態より測定、演算可能であるため、（２）式をＡＬ％について解くと（３）式で表される。
ＡＬ％＝Ｌｎ（１−（ＳＣ／ｄＴｃ）×（（ｄＴｃ・Ｃｐｒ）／ΔｈＣＯＮ）  （３）
ＡＬ％は、吐出温度サーミスタ６ａ、室外機凝縮温度サーミスタ６ｂ、室外熱交換器出口温度サーミスタ６ｃ、外気温度サーミスタ６ｄから、演算可能である。
【００２６】
（２）ＡＬ％（質量保存則）
質量保存則からＡＬ％は、下記の（４）式で近似が可能である。（３）式の温度センサ情報から測定可能なＡＬ％と区別するため、ＡＬ％の質量保存則から求められる値を、ＡＬ％＊（室外熱交換器内の冷媒の液相部の量に係る理論値の一例）と表記する。近似式に使用する係数Ａ、Ｂ、Ｃ、Ｄは空気条件を４条件振った試験を実施し、予めメモリに記憶保持されている。定数Ｅは補正定数であり、規定冷媒量の時に、室内機の容積ばらつき、センサばらつき、配管長による追加充填冷媒量による差を補正するために設けており、初期学習運転（冷媒量判定運転モードと同一）時に決定され、初期値はゼロとなっている。
ＡＬ％＊＝（Ａ・Ｔｃ２＋Ｂ・ｘＥＶＡｉｎ＋Ｃ・Ｔｅ＋Ｄ＋Ｅ）／ρＬ＿ＣＯＮ  （４）
ここで、
Ａ、Ｂ、Ｃ、Ｄ：定数
Ｅ            ：補正定数（初期値ゼロ）
冷媒量が多いほど補正値が大きくなる（補正値Ｅ＝ＡＬ％≒０．１％
相当）
ρＬ＿ＣＯＮ    ：凝縮器液密度［ｋｇ／ｍ３］
Ｔｃ          ：凝縮温度［℃］
Ｔｅ          ：蒸発温度［℃］
ｘＥＶＡｉｎ    ：蒸発器入口乾き度
【００２７】
図３に示すように、冷媒を充填する過程で、（３）式のエネルギー保存則から求まるＡＬ％が、（４）式の質量保存則より求まるＡＬ％＊に近づいていくため、ＡＬ％がＡＬ％＊を上回った時点で冷媒充填終了と判断することで、適正冷媒量の判定が可能となる。
【００２８】
図２に示すように、室外熱交換器３内の冷媒貯留率の算出結果を表示部８に表示する。算出の結果を、冷媒不足状態、冷媒やや不足状態、冷媒適正状態、冷媒過充填状態の別に表示部８のＬＥＤを用いて表示する。表示部８のＬＥＤは、ＬＥＤ１（緑ＬＥＤ）、ＬＥＤ２（赤ＬＥＤ）を備える。
【００２９】
（１）先ず、冷媒不足状態（液相面積比率ＡＬ％＝０）では、表示部８のＬＥＤ１（緑ＬＥＤ）をゆっくり点滅させる。充填作業者は、表示部８のＬＥＤ１（緑ＬＥＤ）がゆっくり点滅していることから、冷媒不足状態と判断し、冷媒ボンベのバルブを開く。
（２）冷媒やや不足状態（液相面積比率ＡＬ％＝１％〜（適正値−５％））では、表示部８のＬＥＤ１（緑ＬＥＤ）の点滅速度を、冷媒不足状態のゆっくり点滅より速くする。充填作業者は、表示部８のＬＥＤ１（緑ＬＥＤ）が冷媒不足状態のゆっくり点滅より速く点滅しているので、冷媒やや不足状態と判断し、冷媒ボンベのバルブを徐々に絞る。
（３）冷媒適正状態（ＡＬ％がＡＬ％＊を上回った時点）では、表示部８のＬＥＤ１（緑ＬＥＤ）を点灯させ、圧縮機１の運転を停止する。充填作業者は、表示部８のＬＥＤ１（緑ＬＥＤ）が点灯しているので、冷媒適正状態と判断し、冷媒ボンベのバルブを閉じる。
尚、冷媒適正状態では、室外ユニット１０の入力・演算・判定部７は圧縮機１を自動的に停止し、冷媒充填の速度を緩めるようにする。冷媒適正状態になったとき、ＬＥＤ１が完了の表示（点灯）になることで冷媒充填作業者は、冷媒ボンベのバルブを閉止し、冷媒充填を完了する。圧縮機１が停止しているため、若干冷媒ボンベのバルブの閉止のタイミングが遅れても余剰に充填されにくくなる。
（４）冷媒過充填状態（液相面積比率ＡＬ％＞ＡＬ％＊）では、表示部８のＬＥＤ２（赤ＬＥＤ）を点灯させる。充填作業者は、表示部８のＬＥＤ２（赤ＬＥＤ）が点灯しているので、冷媒過充填状態と判断し、冷媒を冷媒回路から一部回収し、再度冷媒が適正量より少ない状態から再充填することになる。冷媒適正状態になるまで、これを繰り返す。
【００３０】
以上のように、本実施の形態によれば、空気調和機を冷房運転しながら冷媒を少しずつ追加していき、表示部８のＬＥＤの表示の変化に応じて冷媒充填量を調整することで、適正な冷媒充填を計量無しで完了することができる。そのため、冷媒の過充填による圧縮機１内での冷凍機油の希釈や、冷媒不足による圧縮機１におけるスラッジ生成を回避できる。
【００３１】
また、既設配管を流用する場合に配管径や長さが正確にわからなくても、適正な冷媒充填を行うことができる。
【００３２】
実施の形態２．
図４は実施の形態２を示す図で、必要追加冷媒量検知方法の概要を示す図である。
【００３３】
空気調和機は、図１に示すように、室内熱交換器５の中間以降の温度を検知する室内機出口温度サーミスタ６ｆを備える。
【００３４】
空気調和機を冷房運転しながら、室外ユニット１０の冷媒貯留率を実施の形態１と同様に算出する。室内熱交換器５の冷房運転時における蒸発温度を検出する室内機蒸発温度サーミスタ６ｅと、室内機出口温度サーミスタ６ｆとの温度差から室内熱交換器５の過熱度を算出する。蒸発温度と過熱度から室内熱交換器５の冷媒密度を計算することができる。
【００３５】
（必要追加冷媒量検知方法）
冷房運転時は、配管長が長いほど封入冷媒量が相対的に大きくなる（余剰冷媒量が増えるため）、標準冷媒量（暖房必要冷媒量）の状態で延長配管によらず、サイクル状態を同じにすることは不可能である。そこで、追加充填冷媒量と比例関係にある液管部分の容積を、初期封入冷媒量から推定し追加充填量を算出する方法を案出した。以下に、その手順を示し、その概要を図４に示す。
（１）必要追加冷媒検知運転モード（冷房運転）で運転し、アキュムレータ１２の冷媒を室外熱交換器３（凝縮器）に貯留する運転をする。
（２）初期据え付け時は室外の初期充填冷媒量をＭｓ［ｋｇ］とし、重作業時等冷媒を再封入する場合には、室外熱交換器３出口のＳＣ（過冷却度）がある程度つく冷媒量まで封入し、初期封入冷媒量Ｍｓ［ｋｇ］をインプットする。
（３）冷凍サイクル運転状態から、室外ユニット１０の冷媒存在量Ｍｏｃを推測する（実施の形態１）。
（４）初期封入冷媒量Ｍｓから室内ユニット２０の冷媒存在量を差し引いた冷媒量が延長配管と室内ユニット２０部分に存在している冷媒量Ｍｐ［ｋｇ］になるため、サイクル状態から演算した低圧二相密度より延長配管部分の容積（液管容積Ｖｐ［ｍ３］）を推定する。
（５）通知された冷媒量を追加充填する。
【００３６】
このように、空気調和機に、初期に充填されている標準冷媒量と、室外ユニット１０の冷媒貯留率から計算される冷媒量の差が室内熱交換器５側で使用している冷媒量となる。
【００３７】
室内熱交換器５側の冷媒量と冷媒密度が判明するため、室内熱交換器５の容積も計算でき、ユニットの室内熱交換器５（蒸発器）容積毎に決まっている標準冷媒量と比較することで冷媒量の過不足の判定ができる。
【００３８】
冷媒充填作業者は、実施の形態１と同様に表示部８のＬＥＤに合わせて少しずつ冷媒充填を行い、冷媒充填を完了する。
【００３９】
室内熱交換器５（蒸発器）の過熱度を検出するセンサは、吐出温度サーミスタ６ａで代用して凝縮・蒸発圧力もしくはそれぞれに相当する飽和温度と吐出温度から、室内熱交換器５（蒸発器）の過熱度を類推することも可能である。
【００４０】
以上のように、本実施の形態によれば、初期封入冷媒量において運転状態を検知し、室内熱交換器５の冷媒の蒸発温度に加えて、室内熱交換器５の中間以降の過熱度を室内機出口温度サーミスタ６ｆにより検知して、蒸発器側の冷媒密度を演算する。室外熱交換器３に貯留される冷媒量を演算し、初期封入冷媒量から差し引いて室内ユニット２０と延長配管に存在している冷媒量を演算する。蒸発器側冷媒密度から蒸発器側の容積を推定することにより、冷媒接続配管（延長配管）径・長さが正確にわからなくても適正な冷媒充填量がわかり、適正な冷媒充填が可能になる。
【００４１】
また、追加充填冷媒量と比例関係にある液管部分の容積を、初期封入冷媒量から推定し追加充填量を算出するので、冷房運転のみで暖房時に必要な冷媒量についても充填が可能であり、冷媒充填作業自体が簡易となる。
【図面の簡単な説明】
【００４２】
【図１】実施の形態１、２を示す図で、空気調和機の室外ユニット１０と室内ユニット２０の構成を示す図。
【図２】実施の形態１を示す図で、冷媒充填判定の流れを示す図。
【図３】実施の形態１を示す図で、冷媒充填過程の質量保存則ＡＬ％＊とエネルギー保存則ＡＬ％の関係図。
【図４】実施の形態２を示す図で、必要追加冷媒量検知方法の概要を示す図。
【符号の説明】
【００４３】
１  圧縮機、２  四方弁、３  室外熱交換器、４  膨張弁、５  室内熱交換器、６ａ  吐出温度サーミスタ、６ｂ  室外機凝縮温度サーミスタ、６ｃ  室外熱交換器出口温度サーミスタ、６ｄ  外気温度サーミスタ、６ｅ  室内機蒸発温度サーミスタ、６ｆ  室内機出口温度サーミスタ、７  入力・演算・判定部、８  表示部、９  入出力部、１０  室外ユニット、１２  アキュムレータ、１３ａ  延長配管、１３ｂ  延長配管、２０  室内ユニット。
【図１】
2008232579.tif 000003
【図２】
2008232579.tif 000004
【図３】
2008232579.tif 000005
【図４】
2008232579.tif 000006